(57)【特許請求の範囲】
【請求項１】
温室に形成される開口を開閉し上記温室に吊設される開閉シートと、この開閉シートを巻き取り、巻き戻す巻き上げ軸と、この巻き上げ軸を回転する駆動機と、この駆動機が軸方向に沿って移動可能に取り付けられるガイド柱とを備え、
上記駆動機が上記巻き上げ軸の一端に連結されてこの巻き上げ軸を回転する駆動機本体と、上記ガイド柱に沿って移動可能に取付けた移動部材とからなり、上記開閉シートの巻き取り、巻き戻しに伴って上記駆動機がガイド柱に沿って移動する換気装置において、
上記駆動機本体を上記移動部材に揺動可能に連結させ、
上記移動部材を相対向する一対のガイドプレートと、これらガイドプレートの間に架設される軸と、この軸の軸周りに回転自在に取り付けられるとともに上記ガイド柱を挟む二対のローラとで構成し、 対となる上記ローラを上記ガイド柱の軸方向にずれて配置させると共に一部を上記ガイド柱の径方向にオーバーラップさせてなることを特徴とする換気装置。
【請求項２】
一端が上記温室に固定されるとともに自由端となる他端が上記巻き上げ軸に固定され上記駆動機を吊り下げた状態に支持するベルトを備えることを特徴とする請求項１に記載の換気装置
【請求項３】
上記駆動機本体が電動モータを内蔵し、この電動モータのモータシャフトが上記巻き上げ軸に連結されることを特徴とする請求項１または請求項２に記載の換気装置。
【請求項４】
上記駆動機本体は、上記巻き上げ軸が水平になる起立状態から上記温室から離れる方向に２０度傾く範囲において揺動することを特徴とする請求項１から請求項３の何れかに記載の換気装置。
【請求項５】
上記移動部材は上記一対のガイドプレートと上記駆動機とを連結する連結プレートを備え、上記駆動機における上記駆動機本体が上記連結プレートに揺動可能に連結されていることを特徴とする請求項１から請求項４の何れかに記載の換気装置。
【請求項６】
上記各ローラに周方向に沿って断面Ｃ字状の溝が形成されることを特徴とする請求項１から請求項５の何れかに記載の換気装置。
【請求項７】
上記各ガイドプレートがＣ字状に形成され、このガイドプレートに沿って上記各ローラが配置されると共に、上記ガイドプレートの一端と他端との間に形成される開口部に上記巻き上げ軸が挿通することを特徴とする請求項１から請求項６の何れかに記載の換気装置。
【請求項８】
上記軸は、上記各ガイドプレートに形成されるボルト孔を介して取り付けられており、対をなす上記ローラのうち、一方の上記ローラを軸支する上記軸を取り付けるための上記ボルト孔が横長に形成され、対をなす上記ローラの間隔を変更可能なことを特徴とする請求項１から請求項７の何れかに記載の換気装置。
【発明の詳細な説明】
【技術分野】
【０００１】
この発明は、換気装置の改良に関する。
【背景技術】
【０００２】
一般的に、温室においては、野菜、果樹、園芸用植物等が栽培されており、これらの栽培環境を適正にするため、適宜換気をすることが必要である。そして、換気のため、温室の妻面、側面、屋根面等に換気用の開口を設け、この開口を換気装置で開閉する。
【０００３】
このような換気装置は、例えば、複数のアーチ状パイプが列設されてなる骨組と、この骨組に展張されるビニールシートとを備えて蒲鉾型に形成される温室に使用され、この温室の側面に長手方向に沿って形成される開口を開閉する。
【０００４】
具体的に、上記の換気装置は、上記温室に吊設される開閉シートと、この開閉シートを巻き取り、巻き戻す巻き上げ軸と、この巻き上げ軸を回転する駆動機と、この駆動機が軸方向に沿って移動可能に取り付けられるガイド柱とを備える。
【０００５】
そして、換気装置は、上記開閉シートの下端部に巻き上げ軸を連結させて、この巻き上げ軸を駆動機で回転することにより、巻き上げ軸に開閉シートを巻き取りながら温室の開口を開く。
【０００６】
また、図７（ａ）に示すように、上記換気装置における駆動機３００は、電動モータを内蔵する駆動機本体３０１と、この駆動機本体３０１に固定されて上記ガイド柱４に沿って移動可能な移動部材３１０とからなり、上記電動モータのモータシャフト（図示せず）は、カップリング７を介して上記巻き上げ軸２と同軸に連結され、巻き上げ軸２とともに回転する。
【０００７】
そして、駆動機本体３０１のモータシャフトを回転したとき、巻き上げ軸２が開閉シートを巻き取るとともに、開閉シートに沿って上方向に転がりながら移動して開口を開く。
【０００８】
一方、駆動機本体３０１のモータシャフトを逆転したときには、巻き上げ軸２は巻き取った開閉シートを巻き戻すとともに、開閉シートに沿って下方向に転がりながら移動して開口を閉じる。
【０００９】
そして、上記巻き上げ軸２の上下方向の移動に伴い、駆動機３００もガイド柱４に沿って上下方向に移動する。
【先行技術文献】
【特許文献】
【００１０】
【特許文献１】特開２００１−１２８５６３号公報
【特許文献２】特開２００７−２７４９７２号公報
【発明の概要】
【発明が解決しようとする課題】
【００１１】
しかしながら、上記従来の換気装置においては、電気モータを内蔵する駆動機本体３０１が重いため、図７（ｂ）に示すように、移動部材３１０がガイド柱４に対して傾いて自在鉤のようになり、駆動機３００が動かなくなる不具合がある。
【００１２】
そして、移動部材３１０が自在鉤のようになった状態で、更に巻き上げ軸２を回転しようとすると、駆動機本体３０１に負荷がかかり故障の原因となる。
【００１３】
また、このように駆動機３００が動かなくなった状態で巻き上げ軸２を回転すると、開閉シートに負荷がかかるばかりか、開閉シートを破損する虞がある。
【００１４】
そこで、本発明の目的は、移動部材がガイド柱に対して傾いて自在鉤のようになることを防止し、駆動機の円滑な移動を維持することが可能な換気装置を提供することである。
【課題を解決するための手段】
【００１５】
上記課題を解決するための手段は、  温室に形成される開口を開閉し上記温室に吊設される開閉シートと、この開閉シートを巻き取り、巻き戻す巻き上げ軸と、この巻き上げ軸を回転する駆動機と、この駆動機が軸方向に沿って移動可能に取り付けられるガイド柱とを備え、
上記駆動機が上記巻き上げ軸の一端に連結されてこの巻き上げ軸を回転する駆動機本体と、上記ガイド柱に沿って移動可能に取付けた移動部材とからなり、上記開閉シートの巻き取り、巻き戻しに伴って上記駆動機がガイド柱に沿って移動する換気装置において、  上記駆動機本体を上記移動部材に揺動可能に連結させ、
上記移動部材を相対向する一対のガイドプレートと、これらガイドプレートの間に架設される軸と、この軸の軸周りに回転自在に取り付けられるとともに上記ガイド柱を挟む二対のローラとで構成し、 対となる上記ローラを上記ガイド柱の軸方向にずれて配置させると共に一部を上記ガイド柱の径方向にオーバーラップさせてなることを特徴とすることである。
【発明の効果】
【００１６】
本発明によれば、駆動機本体が移動部材に揺動可能に取り付けられているため、駆動機本体の重みでガイド柱に対して駆動機本体が傾いたとしても、駆動機本体のみが傾いて移動部材が傾くことがない。
【００１７】
したがって、移動部材が自在鉤のようになって駆動機が動かなくなることを防止し、駆動機の円滑な移動を維持することが可能となる。
また、ガイド柱を挟む対となるローラがガイド柱の軸方向にずれて配置され、一部がガイド柱の径方向にオーバーラップさせているから、ガイド柱のホールド感を高めて、移動部材の移動をより円滑にすることが可能となる。
【図面の簡単な説明】
【００１８】
【図１】本発明の一実施の形態に係る換気装置を温室に取り付けた状態を示し、換気装置を正面側から見た斜視図である。
【図２】本発明の一実施の形態に係る換気装置を部分的に拡大して示す背面図である。
【図３】本発明の一実施の形態に係る換気装置における移動部材を拡大して示し、移動部材を背面側から見た分解斜視図である。
【図４】（ａ）（ｂ）本発明の一実施の形態に係る換気装置における移動部材の対をなすローラを示す平面図である。（ｃ）対をなすローラが上下にずらされていない状態を示す平面図である。
【図５】本発明の一実施の形態に係る換気装置における移動部材の温室側のガイドプレートにローラを配置した状態を示す左側面図である。
【図６】本発明の一実施の形態に係る換気装置における駆動機にガイド部材を取り付けた状態を示す正面図である。
【図７】従来の換気装置を部分的に示す正面図である。（ａ）は、駆動機がガイド柱に沿って移動可能な状態を示し（ｂ）は、駆動機がガイド柱に沿って移動できなくなった状態を示す。
【発明を実施するための形態】
【００１９】
以下に本発明の一実施の形態に係る換気装置について、図面を参照しながら説明する。いくつかの図面を通して付された同じ符号は、同じ部品か対応する部品を示す。
【００２０】
図１に示すように、本実施の形態に係る換気装置は、温室Ｈに形成される開口Ｏを開閉し上記温室Ｈに吊設される開閉シート１と、この開閉シート１を巻き取り、巻き戻す巻き上げ軸２と、この巻き上げ軸２を回転する駆動機３と、この駆動機３が軸方向に沿って移動可能に取り付けられるガイド柱４とを備える。
【００２１】
そして、上記駆動機３が上記巻き上げ軸２の一端（図１中左端）に連結されてこの巻き上げ軸２を回転する駆動機本体３０と、上記ガイド柱４に沿って移動可能な移動部材３１とからなり、上記開閉シート１の巻き取り、巻き戻しに伴って上記駆動機３がガイド柱４に沿って移動する。
【００２２】
さらに、本発明において、上記駆動機本体３０が上記移動部材３１に揺動可能に連結される。
【００２３】
以下、詳細に説明すると、本実施の形態に係る換気装置が設けられる温室Ｈは、複数のアーチ状パイプ（図示せず）が列設されてなる骨組（図示せず）と、この骨組に展張されるビニールシートＳとを備えて略蒲鉾型に形成される。
【００２４】
そして、この温室Ｈの側面Ｈ１には、長手方向に沿って開口Ｏが形成されてなり、本実施の形態に係る換気装置でこの開口Ｏを開閉する。一般的に、この開口Ｏには図示しないネットが展張されており、通気性を確保しつつ、害虫や害鳥が温室内に侵入することを防止している。
【００２５】
つづいて、換気装置における開閉シート１は、雨や風の透過を阻止することが可能なビニールシート等からなる。上記温室Ｈにおける開口Ｏの図１中上側には、長手方向に沿ってシート定着フレーム６が設けられている。
【００２６】
そして、上記開閉シート１は、このシート定着フレーム６を介して図１中上側に位置する一端を温室Ｈに固定され、この開閉シート１の自由端となる他端（図１中下端）には、長手方向に沿って巻き上げ軸２が取り付けられている。
【００２７】
さらに、上記開閉シート１は、上記開口Ｏを塞ぐのに充分な大きさに形成され、上記巻き上げ軸２に巻き取られていくと上記開口Ｏを徐々に開き、上記巻き上げ軸２から巻き戻されていくと上記開口Ｏを徐々に閉じる。
【００２８】
上記開閉シート１を巻き取り、巻き戻す巻き上げ軸２は、本実施の形態において、中空のパイプからなり、上記開閉シート１の長手方向長さ（図１中左右幅）よりも長く設定されているとともに、巻き上げ軸２の駆動機３側の一端（図１中左端）が温室Ｈの妻面Ｈ２よりはみ出すように配置されている。
【００２９】
さらに、本実施の形態に係る換気装置においては、上記巻き上げ軸２の駆動機３側（図１中左側）には、温室Ｈの側面Ｈ１と対向する位置に、開閉シート１から露出する部分があり、ここにベルト５が開閉シート１と並べて配置される。
【００３０】
このベルト５は、一端（図１中上端）がシート定着フレーム６に固定され、開閉シート１とともに温室Ｈに吊設されている。また、このベルト５は、自由端となる他端（図１中下端）が巻き上げ軸２に固定され、開閉シート１とともに巻き上げ軸２に巻き取られ、巻き戻される。当該構成を備えることにより、ベルト５は、巻き上げ軸２を介して駆動機３を吊り下げた状態に支持している。
【００３１】
つづいて、上記巻き上げ軸２を回転する駆動機３が軸方向（図１中上下方向）に沿って移動可能に取り付けられるガイド柱４は、本実施の形態において、中空のパイプからなり、上記巻き上げ軸２における温室Ｈの妻面Ｈ２よりはみ出た部分に交わるように地面上に起立する。
【００３２】
そして、上記駆動機３は、上記したように、上記巻き上げ軸２の一端（図１中左端）に連結されてこの巻き上げ軸２を回転する駆動機本体３０と、上記ガイド柱４に沿って移動可能な移動部材３１とからなる。
【００３３】
上記駆動機本体３０は、温室Ｈ内若しくは温室Ｈ外に配置される制御盤（図示せず）で操作することが可能な電動モータ（図示せず）を内蔵している。
【００３４】
そして、図２に示すように、上記電動モータのモータシャフト３０ａがカップリング７を介して巻き上げ軸２と同軸に連結されることから、電動モータを操作してモータシャフト３０ａを回転したとき、このモータシャフト３０ａの回転方向に従って巻き上げ軸２も等しく回転する。
【００３５】
尚、電動モータの操作は、図示しないリモコンですることも可能となっており、これにより、換気装置の遠隔操作が可能である。
【００３６】
一方、駆動機３における移動部材３１は、図２，図３に示すように、相対向する一対のガイドプレート３２，３３と、これらガイドプレート３２，３３の間に回転自在に軸支されるとともにガイド柱４を挟む二対のローラ３４ａ，３４ｂ，３５ａ，３５ｂと、上記一対のガイドプレート３２，３３と上記駆動機３０とを連結する連結プレート３６とを備える。
【００３７】
上記各ガイドプレート３２，３３は、図３に示すように、それぞれＣ字状に形成されてなり、一端３２ａ，３３ａが図３中上側に、他端３２ｂ，３３ｂが図中下側に配置される。そして、各ガイドプレート３２，３３は、水平に配置される上記巻き上げ軸２の側面に対して垂直に交わるよう配置され、一端３２ａ，３３ａと他端３２ｂ，３３ｂとの間に形成される開口部（符示せず）に巻き上げ軸２が挿通する。
【００３８】
また、上記各ローラ３４ａ，３４ｂ，３５ａ，３５ｂは、相対向するガイドプレート３２，３３の間に架設される軸３７の軸周りに回転自在に取り付けられている。これら各ローラ３４ａ，３４ｂ，３５ａ，３５ｂには、図４（ａ），（ｂ）に示すように、周方向に沿って断面Ｃ字状の溝Ｃが形成されており、中央部が括れた状態になっている。
【００３９】
また、本実施の形態において、最も上側に配置されるローラ３４ｂと、次のローラ３４ａが対となり（図１（ａ））、この次のローラ３５ａと最も下側に配置されるローラ３５ｂが対となっており（図４（ｂ））、対となるローラ即ち、ローラ３４ａとローラ３４ｂ、ローラ３５ａとローラ３５ｂがガイド柱４の軸方向（図２、図５中上下）にずれて配置され、図４，図５中Ｘで示すように、一部がガイド柱の径方向にオーバーラップするようになっている。
【００４０】
尚、本実施の形態においては、ガイドプレート３２，３３がＣ字状に形成されるため、対となるローラ（３４ａと３４ｂ、３５ａと３５ｂ）を上下にずらして配置する際に、ガイドプレート３２，３３に沿ってローラ３４ａ，３４ｂ，３５ａ，３５ｂを配置すればよく、この場合においては、各ローラ３４ａ，３４ｂ，３５ａ，３５ｂが台形の頂点部に位置するよう配置される。
【００４１】
したがって、図４（ｃ）で示すように、対となるローラ（３４ａと３４ｂ、３５ａと３５ｂ）を上下にずらさず対応する位置に配置した場合と比較して、移動部材３１におけるガイド柱４に対してのホールド感を高めることが可能となる。
【００４２】
もどって、上記ローラ３４ａ，３４ｂ，３５ａ，３５ｂを貫通する軸３７は、図３に示すように、基端部に六角柱状のヘッド部３７ａを備えるとともに先端部３７ｂに螺子溝が形成されるボルトからなる。
【００４３】
そして、各ガイドプレート３２，３３には、対向する位置にボルト孔３２ｃ，３２ｄ，３２ｅ，３２ｆ，３３ｃ，３３ｄ，３３ｅ，３３ｆがそれぞれ形成されており、上記軸３７は、一方のガイドプレート３２の外側からボルト孔３２ｃ，３２ｄ，３２ｅ，３２ｆにその先端部３７ｂを挿通して他方のガイドプレート３３のボルト孔３３ｃ，３３ｄ，３３ｅ，３３ｆから突出させ、この突出した先端部３７ｂにナット３８を螺合することにより、軸３７はガイドプレート３２，３３に固定されている。
【００４４】
尚、本実施の形態において、図３に示すように対となるローラ（３４ａと３４ｂ、３５ａと３５ｂ）のうち、一方のローラ３４ａ，３５ａに貫通する軸３７を取り付けるためのボルト孔３２ｄ，３３ｄ，３２ｅ，３３ｅが横長に形成されている。
【００４５】
また、上記ガイドプレート３２，３３に駆動機本体３０を連結する連結プレート３６は、水平板状の連結部３６ａと、この連結部３６ａの温室側端（図３中左端）から図３中上側に起立する第一固定部３６ｂと、上記連結部３６ａの反温室側（図３中右側）の図３中前後端から上側に相対向して起立する一対の支持片３６ｃ，３６ｃと、これら支持片３６ｃ，３６ｃの温室側端（図３中左端）から外側にそれぞれ連設されて上記第一固定部３６ｂと対向する第二固定部３６ｄ，３６ｄとからなる。
【００４６】
そして、上記第一固定部３６ｂが螺子Ｂ，Ｂで温室側（図３中左側）のガイドプレート３３に固定されるとともに、上記第二固定部３６ｄ，３６ｄが螺子Ｂ，Ｂで他方側（図３中右側）のガイドプレート３２に固定されている。
【００４７】
さらに、上記支持片３６ｃ，３６ｃの間には図示しない軸が架設されており、駆動機本体３０がこの軸の軸周りに揺動可能に取り付けられている。
【００４８】
尚、本実施の形態において、上記駆動機３における上記駆動機本体３０は、巻き上げ軸２が水平になる起立状態から温室から離れる方向（反巻き上げ軸側）に２０度傾く範囲（図２中矢印Ｙ）において揺動可能である。
【００４９】
次に、本実施の形態に係る換気装置の作用効果について説明する。開閉シート１で閉じられている温室Ｈの開口Ｏを開くとき、巻き上げ軸２を回転して、巻き上げ軸２に開閉シート１及びベルト５を巻き取っていく。
【００５０】
このとき、巻き上げ軸２が開閉シート１に沿って上方向に転がりながら移動して温室Ｈの開口Ｏを開くとともに、温室Ｈから垂れ下がるベルト５の自由長（図１中矢印Ｚの長さ）が短くなるため、駆動機３が上記ベルト５に引き上げられてガイド柱４に沿って図１中上方向に移動する。
【００５１】
一方、巻き上げ軸２に開閉シート１が巻き取られて開いている温室Ｈの開口Ｏを閉じるとき、巻き上げ軸２を逆転して、巻き上げ軸２から開閉シート１及びベルト５を巻き戻していく。
【００５２】
このとき、巻き上げ軸２が自重と、巻き取った開閉シート１の重みで下方向に転がりながら移動して温室Ｈの開口Ｏを閉じるとともに、温室Ｈから垂れ下がるベルト５の自由長（図１中矢印Ｚの長さ）が長くなるため、駆動機３が自重でガイド柱４に沿って図１中下方向に移動する。
【００５３】
そして、本発明の換気装置においては、駆動機３の重みでベルト５が伸びると、駆動機本体３０がその重みで温室Ｈから離れる方向（反巻き上げ軸側、図１中左側）に傾くが、駆動機本体３０の揺動範囲（図２中矢印Ｙ）においては、移動部材３１がガイド柱４に対して傾くことがない。
【００５４】
また、本実施の形態において、駆動機本体３０が傾いていることを作業者が発見した場合には、駆動機本体３０が起立状態から２０度傾いた状態、即ち、揺動限界になる前に、ベルト５を交換若しくは調整して駆動機本体３０を起立状態に戻せばよい。
【００５５】
したがって、本実施の形態における換気装置は、移動部材３１が自在鉤のようになって駆動機３が動かなくなることを防止し、駆動機３の円滑な移動を維持することが可能となる。
【００５６】
これにより、従来のように、開閉シート１に負荷をかけることなく開閉シート１の破損を防止することが可能となる。
【００５７】
また、従来の換気装置において、駆動機３００が動かなくなった状態で巻き上げ軸２を回転すると、カップリング７の螺子に負荷をかけ、この螺子の破損につながる。しかしながら、本発明によれば、駆動機３の円滑な移動が維持されているため、カップリング７の螺子に負荷をかけることがなく、この螺子を破損させることもない。
【００５８】
さらに、本実施の形態のように、駆動機本体３０が電動モータを内蔵する場合、手動で操作する駆動機３と比較して重量が重く、移動部材３１がガイド柱４に対して傾いて自在鉤のようになり易い。そして、駆動機３が動かなくなった場合には、電動モータの故障の原因となるため、駆動機３の円滑な移動を可能にすることは、極めて有効である。
【００５９】
また、本実施の形態における換気装置は、温室Ｈに吊設されるベルト５を備え、このベルト５で駆動機３を吊り下げた状態に支持しているため、開閉シート１にかかる負荷を軽減することが可能となる。
【００６０】
そして、本実施の形態のようにベルト５を備える換気装置においては、ベルト５の交換・調整時期の判断が難しく、従来の駆動機を使用した場合には、駆動機が動かなくなってからベルト５が伸びていたことに気づく場合が多い。
【００６１】
しかし、本発明においては、ベルト５が伸びると駆動機本体３０が傾くため、ベルト５の交換・調整時期を容易に判断でき、駆動機３が動かなくなる前にベルト５を交換若しくは調整することができる。
【００６２】
また、本実施の形態における駆動機本体３０は、巻き上げ軸２が水平になる起立状態から温室Ｈから離れる方向に２０度傾く範囲において揺動することから、カップリング７がガイドプレート３２，３３に接触する前に揺動限界となり、カップリング７とガイドプレート３２，３３が干渉することを防止できる。さらに、上記揺動範囲とすることで、ベルト５を交換若しくは調整するための期間を充分に確保することができる。
【００６３】
また、本実施の形態においては、ガイド柱４を挟む対となるローラ（３４ａと３４ｂ、３５ａと３５ｂ）がガイド柱４の軸方向にずれて配置され、一部がガイド柱の径方向にオーバーラップするようになっていることから、上記したようにガイド柱４のホールド感を高めて、移動部材３１の移動をより円滑にすることが可能となる。
【００６４】
また、本実施の形態においては、ローラ３４ａ，３４ｂ，３５ａ，３５ｂに断面Ｃ字状の溝Ｃが形成され、ローラ３４ａ，３４ｂ，３５ａ，３５ｂの中央部が括れていることから、ローラ３４ａ，３４ｂ，３５ａ，３５ｂの軸方向（図２中左右方向）にガイド柱４が多少ずれたとしても、移動部材３１の移動の妨げとならない。
【００６５】
また、本実施の形態においては、ガイドプレート３２，３３がＣ字状に形成されて一端３２ａ，３３ａと他端３２ｂ，３３ｂとの間に開口部が形成されているため、この開口部に巻き上げ軸２を挿通し、巻き上げ軸２とガイド柱４とを接近させることが可能となる。
【００６６】
したがって、ローラ３４ａ，３４ｂ，３５ａ，３５ｂに負荷をかけず、移動部材３１のより円滑な移動が可能となる。また、ガイドプレート３２，３３に沿ってローラ３４ａ，３４ｂ，３５ａ，３５ｂを配置すれば、対をなすローラ（３４ａと３４ｂ、３５ａと３５ｂ）を上下にずらして配置でき、併せてガイドプレート３２，３３をコンパクトにすることが可能となる。
【００６７】
また、本実施の形態において、対をなす上記ローラ（３４ａと３４ｂ、３５ａと３５ｂ）のうち、一方のローラ３４ａ，３５ａを軸支する軸３７，３７を取り付けるためのボルト孔３２ｄ，３３ｄ，３２ｅ，３３ｅが横長に形成される。
【００６８】
したがって、一方のローラ３４ａ，３５ａを横方向（図３中左右）にずらしてローラ３４ａ，３５ａの位置調整が可能となり、対となるローラ（３４ａと３４ｂ、３５ａと３５ｂ）の間隔をガイド柱４の太さに応じた間隔に設定することが可能となる。
【００６９】
以上、本発明の好ましい実施の形態を詳細に説明したが、特許請求の範囲から逸脱することなく改造、変形及び変更を行うことができることは理解すべきである。
【００７０】
例えば、上記実施の形態において、本発明に係る換気装置が温室Ｈの側面Ｈ１の開口Ｏを開閉するとしたが、温室Ｈの妻面Ｈ２若しくは屋根面Ｈ３に開口を設け、この開口を開閉するとしてもよい。
【００７１】
また、上記実施の形態において、移動部材３１におけるガイドプレート３２，３３がＣ字状に形成され、ローラ３４ａ，３４ｂ，３５ａ，３５ｂが台形頂点上に配置されるとしたが、ガイドプレート３２，３３の形状及びローラ３４ａ，３４ｂ，３５ａ，３５ｂの配置は上記の限りではない。
【００７２】
また、駆動機本体３０の揺動範囲（図２中矢印Ｙ）は、上記の限りではなく、適宜設定することが可能である。駆動機本体３０が２０度以上傾斜してもカップリング７がガイドプレート３２，３３に干渉しない場合には、上記揺動範囲を２０度より大きく設定してもよい。
【００７３】
また、上記実施の形態において、駆動機３をベルト５で吊り下げた状態に支持するとしているが、換気装置が必ずしもベルト５を備える必要はなく、開閉シート１が駆動機３を吊り下げた状態に支持するとしても良い。
【００７４】
また、ベルト５に替えて、チェーンやワイヤ等により駆動機３を吊り下げた状態に支持するとしても良く、ベルト５、チェーン若しくはワイヤが開閉シート１とともに、巻き上げ軸２に巻き取られ、巻き戻されなくても良い。
【００７５】
また、図６に示すように、駆動機本体３０の上側にガイド柱４に向けて伸びるガイド部材３９を取り付けるとともに、このガイド部材３９に回転自在に取り付けられたローラ３９ａをガイド柱４の反駆動機本体側面に当接させても良い。
【符号の説明】
【００７６】
Ｈ  温室
Ｏ  開口
１  開閉シート
２  巻き上げ軸
３，３００  駆動機
４  ガイド柱
５  ベルト
６  シート定着フレーム
７  カップリング
３０，３０１  駆動機本体
３１，３１０  移動部材
３２，３３  ガイドプレート
３２ｃ，３２ｄ，３２ｅ，３２ｆ，３３ｃ，３３ｄ，３３ｅ，３３ｆ  ボルト孔
３４ａ，３４ｂ，３５ａ，３５ｂ  ローラ
３６  連結プレート
３７  軸
３８  ナット
【図１】
0005779037.tif 000002
【図２】
0005779037.tif 000003
【図３】
0005779037.tif 000004
【図４】
0005779037.tif 000005
【図５】
0005779037.tif 000006
【図６】
0005779037.tif 000007
【図７】
0005779037.tif 000008